(57)【要約】【課題】本発明の課題は、利用者の位置情報およびその位置に関連する環境情報を記録し、利用者の前後の行動を把握し、利用者の状態を推定することで、利用者にとって快適な空間を提供することにある。【解決手段】空調制御システム（１，１０１）は、空気調和装置（２ａ，２ｂ，２ｃ，・・・）を制御する空調制御システムであって、存在認識部（５１ｂａ）、履歴記録部（５４ｃｂ）、第１情報保持部、および空調制御部（７）を備える。存在認識部（５１ｂａ）は、単位空間内において利用者の携帯する発信装置（４ａ，４ｂ，４ｃ，・・・，４０ａ，４０ｂ，４０ｃ，・・・）の存在を認識する。履歴記録部は履歴情報を記録する。第１情報保持部には、利用者関連情報が保持される。空調制御部は、存在認識部において発信装置の存在が認識された単位空間に対応する空気調和装置に対して第１制御を行う。【選択図】図１
2007107782.tif 000002
【特許請求の範囲】
【請求項１】
空気調和装置（２ａ，２ｂ，２ｃ，・・・）を制御する空調制御システム（１，１０１）であって、
前記空気調和装置（２ａ，２ｂ，２ｃ，・・・）が空調する単位空間内において、利用者の携帯する発信装置（４ａ，４ｂ，４ｃ，・・・，４０ａ，４０ｂ，４０ｃ，・・・）が存在することを認識する存在認識部（５１ｂａ）と、
前記発信装置（４ａ，４ｂ，４ｃ，・・・，４０ａ，４０ｂ，４０ｃ，・・・）の位置情報と前記発信装置（４ａ，４ｂ，４ｃ，・・・，４０ａ，４０ｂ，４０ｃ，・・・）の各位置における環境情報とを履歴情報として記録する履歴記録部（５４ｃｂ）と、
前記利用者に関する情報である利用者関連情報を保持する第１情報保持部（５４ｃａ）と、
前記存在認識部（５１ｂａ）において前記発信装置（４ａ，４ｂ，４ｃ，・・・，４０ａ，４０ｂ，４０ｃ，・・・）が存在していると認識された前記単位空間に対応する空気調和装置（２ａ，２ｂ，２ｃ，・・・）に対して、前記履歴情報と前記利用者関連情報とを利用した第１制御を行う空調制御部（７）と、
を備えた、
空調制御システム（１，１０１）。
【請求項２】
前記利用者を識別する情報である利用者識別情報を保持する第２情報保持部をさらに備えた、
請求項１に記載の空調制御システム（１，１０１）。
【請求項３】
前記利用者識別情報と前記履歴情報と前記利用者関連情報とを関連づけるテーブルである情報関連テーブルを保持する情報関連テーブル保持部（５４ｃａ，）と、
前記情報関連テーブルに基づいて、前記利用者識別情報と前記履歴情報とから前記利用者の状態に最適な条件である利用者別制御条件を導出する条件導出部（５１ｂｂ）と、
をさらに備え、
前記第１制御は、前記利用者別制御条件に基づいた制御である、
請求項２に記載の空調制御システム（１，１０１）。
【請求項４】
前記発信装置（４ａ，４ｂ，４ｃ，・・・，４０ａ，４０ｂ，４０ｃ，・・・）の前記位置情報を認識する位置情報取得手段（１２，１２０）をさらに備え、
前記位置情報取得手段（１２，１２０）は、前記発信装置（４ａ，４ｂ，４ｃ，・・・，４０ａ，４０ｂ，４０ｃ，・・・）の前記位置情報を認識し、ネットワーク（３）を介して前記位置情報を前記履歴記録部（５４ｃｂ）に送信する、
請求項１から３のいずれかに記載の空調制御システム（１，１０１）。
【請求項５】
前記発信装置（４ａ，４ｂ，４ｃ，・・・，４０ａ，４０ｂ，４０ｃ，・・・）の各位置における前記環境情報を認識する環境情報取得手段をさらに備え、
前記環境情報取得手段は、前記発信装置（４ａ，４ｂ，４ｃ，・・・，４０ａ，４０ｂ，４０ｃ，・・・）の前記環境情報を認識し、ネットワーク（３）を介して前記環境情報を前記履歴記録部（５４ｃｂ）に送信する、
請求項１から４のいずれかに記載の空調制御システム（１，１０１）。
【請求項６】
前記単位空間は複数存在し、
前記空気調和装置（２ａ，２ｂ，２ｃ，・・・）は、前記単位空間内において少なくとも一つ以上存在し、
前記空気調和装置が対応する前記単位空間それぞれにおいて空調する、
請求項１から５のいずれかに記載の空調制御システム（１，１０１）。
【請求項７】
前記空調制御部（７）は、前記単位空間内において複数の前記発信装置（４ａ，４ｂ，４ｃ，・・・，４０ａ，４０ｂ，４０ｃ，・・・）が存在している場合に、前記発信装置（４ａ，４ｂ，４ｃ，・・・，４０ａ，４０ｂ，４０ｃ，・・・）を携帯している前記利用者に対応する前記利用者関連情報を演算して得られる情報に基づいて前記第１制御を行う、
請求項１から６のいずれかに記載の空調制御システム（１，１０１）。
【請求項８】
前記利用者関連情報は、数値情報であり、
前記空調制御部（７）は、前記単位空間内において複数の前記発信装置（４ａ，４ｂ，４ｃ，・・・，４０ａ，４０ｂ，４０ｃ，・・・）が存在している場合に、前記発信装置（４ａ，４ｂ，４ｃ，・・・，４０ａ，４０ｂ，４０ｃ，・・・）を携帯している前記利用者に対応する前記利用者関連情報の平均値に基づいて前記第１制御を行う、
請求項７に記載の空調制御システム（１，１０１）。
【請求項９】
前記利用者関連情報は、数値情報であり、
前記空調制御部（７）は、前記単位空間内において複数の前記発信装置（４ａ，４ｂ，４ｃ，・・・，４０ａ，４０ｂ，４０ｃ，・・・）が存在している場合に、前記発信装置（４ａ，４ｂ，４ｃ，・・・，４０ａ，４０ｂ，４０ｃ，・・・）を携帯している前記利用者に対応する前記利用者関連情報の総和に基づいて前記第１制御を行う、
請求項７に記載の空調制御システム。
【請求項１０】
前記利用者関連情報には、優先度の情報が含まれ、
前記空調制御部は、前記単位空間内において複数の前記発信装置（４ａ，４ｂ，４ｃ，・・・，４０ａ，４０ｂ，４０ｃ，・・・）が存在している場合に、高い前記優先度の情報が含まれる前記利用者関連情報を優先的に利用して前記第１制御を行う、
請求項７に記載の空調制御システム（１，１０１）。
【請求項１１】
前記単位空間内における前記発信装置（４ａ，４ｂ，４ｃ，・・・，４０ａ，４０ｂ，４０ｃ，・・・）の滞在時間を計測する利用者滞在時間計測部（５７）をさらに備え、
前記空調制御部（７）は、前記単位空間内において複数の前記発信装置（４ａ，４ｂ，４ｃ，・・・，４０ａ，４０ｂ，４０ｃ，・・・）が存在している場合に、前記滞在時間に基づいて前記第１制御を行う、
請求項７に記載の空調制御システム（１，１０１）。
【請求項１２】
前記空調制御部（７）は、前記発信装置（４ａ，４ｂ，４ｃ，・・・，４０ａ，４０ｂ，４０ｃ，・・・）が存在していないと前記存在認識部（５１ｂａ）において認識された前記単位空間に対応する空気調和装置に対して前記第１制御とは異なる第２制御を行う、
請求項１から１１のいずれかに記載の空調制御システム（１，１０１）。
【請求項１３】
前記第２制御は、停止制御である、
請求項１２に記載の空調制御システム（１，１０１）。
【請求項１４】
前記空気調和装置（２ａ，２ｂ，２ｃ，・・・）は、インバータ制御される圧縮機を有し、
前記第２制御は、前記圧縮機の運転周波数を最小にする制御である、
請求項１２に記載の空調制御システム（１，１０１）。
【発明の詳細な説明】
【技術分野】
【０００１】
本発明は、利用者の行動スケジュール、行動履歴、環境履歴に基づいて、複数の単位空間毎に空気調和装置の制御を行う空調制御システムおよび空調制御装置に関する。
【背景技術】
【０００２】
特許文献１では、環境センサを実装した無線タグにより利用者の位置情報と周辺の環境情報とを収集する。そして、収集した位置情報および環境情報と利用者があらかじめ登録した環境に対する嗜好情報とを照合し、利用者周辺の局所的な環境を嗜好に合うように調整する。この技術を利用すれば、単独あるいは複数の人が居住する閉空間における個別の快適さ、あるいは総括的な快適さ、並びに省エネルギーの両立をはかり、時間とともに変化する最適空調および局所的空調の割り出しとその実現を行うことができる。
【特許文献１】特開２００４−１０１０４８号公報
【発明の開示】
【発明が解決しようとする課題】
【０００３】
しかし、上記の技術では、利用者の前後の行動または位置における環境が考慮されていない。利用者の嗜好は、前後の行動または位置における環境によって変化する場合もあり、登録した嗜好情報を利用者の現在位置の環境から照合するだけでは、利用者にとって必ずしも快適な環境とは言えない。本発明の課題は、利用者の位置情報およびその位置に関連する環境情報を記録し、利用者の前後の行動を把握し、利用者の状態を推定することで、利用者にとって快適な空間を提供することにある。
【課題を解決するための手段】
【０００４】
第１発明に係る空調制御システムは、空気調和装置を制御する空調制御システムであって、存在認識部、履歴記録部、第１情報保持部、および空調制御部を備える。ここにいう「空気調和装置」は、例えば、冷房装置、暖房装置、除湿器、加湿器、換気装置、および空気清浄装置などである。存在認識部は、空気調和装置の空調する単位空間内において、利用者の携帯する発信装置が存在することを認識する。なお、ここにいう「単位空間」には、複数の利用者が存在可能である。また、単位空間の範囲の決定は、複数の移動体検知センサ（人検知センサなど）の検知範囲を調節することにより行われても良いし、カメラからの撮影画像を分割することによって行われても良いし、居室空間を座標化してその座標を分割することによって行われても良い。また、空気調和装置の空調能力により決定しても良い（つまり、空調能力が高い場合は単位空間を大きく設定し、空調能力が低い場合は単位空間を小さく設定する）。また、利用者が単位空間に存在するか否かについては、移動体検知センサを利用しても良いし、撮影画像の変化を利用して判定しても良いし、利用者が携帯している発信器あるいは受信器の位置を三辺測量法により特定することによって判定しても良いし、電波強度を利用して利用者が携帯している発信装置の位置を特定しても良い。履歴記録部は、発信装置の位置情報と発信装置の各位置における環境情報とを履歴情報として記録する。なお、ここにいう「環境情報」とは、例えば、天気、気温、湿度、風速などである。なお、ここにいう「履歴情報」とは、例えば１分ごとに利用者の位置情報と環境情報とを記録した情報である。第１情報保持部には、利用者関連情報が保持される。なお、ここにいう「利用者関連情報」とは、利用者に関する情報であり、例えば、利用者の嗜好情報、利用者の行動スケジュールなどである。また、ここにいう「嗜好情報」とは、例えば、利用者（人間）が好む設定温度や、設定湿度、風向、風量、空気清浄レベル、二酸化炭素濃度などである。また、ここにいう「行動スケジュール」とは利用者（人間）が移動先とその予定時刻とをあらかじめ入力したスケジュール情報である。空調制御部は、存在認識部において発信装置が存在していると認識された単位空間に対応する空気調和装置に対して第１制御を行う。なお、ここにいう「第１制御」とは、履歴情報と利用者関連情報とを利用した制御である。
【０００５】
この空調制御システムでは、存在認識部は、単位空間において利用者が存在するかどうかを認識する。空気調和装置は、単位空間に対応して空調する。履歴記録部は、発信装置の位置情報と各位置における環境情報とを履歴情報として記録する。第１情報保持部は、利用者関連情報を保持する。そして、空調制御部は、存在認識部において発信装置が存在していると認識された単位空間に対応する空気調和装置に対して第１制御を行う。
【０００６】
したがって、この空調制御システムでは、利用者が携帯する発信装置の位置情報とその位置における環境情報とを履歴情報として記録し、履歴情報を記録することにより時々刻々と変化する利用者の状態を推定することができる。このため、推定した利用者の状態と利用者の登録している利用者関連情報（温熱嗜好情報）とに基づいて空調を行うことができる。これにより、この空調制御システムは、利用者にとって快適な空間を提供できる。
【０００７】
第２発明に係る空調制御システムは、第１発明に係る空調制御システムであって、第２情報保持部をさらに備える。第２情報保持部は、利用者を識別する情報である利用者識別情報を保持する。なお、ここにいう「利用者識別情報」とは、利用者を識別する情報であって、ＩＤナンバーなどのことである。
この空調制御システムでは、第２情報保持部に、利用者識別情報が保持される。したがって、この空調制御システムでは、利用者に保持させる情報記憶媒体を、例えば、ＲＦＩＤタグなどの簡素なものとすることができる。この結果、この空調制御システムは、低コストで構築することが可能となる。このため、この空調制御システムでは、利用者は利用者識別情報のみを保持しておけば良い。
【０００８】
第３発明に係る空調制御システムは、第２発明に係る空調制御システムであって、情報関連テーブル保持部、および条件導出部をさらに備える。情報関連テーブル保持部には、情報関連テーブルが保持される。なお、ここにいう「情報関連テーブル」とは、利用者識別情報と履歴情報と利用者関連情報とを関連づけるテーブルである。条件導出部は、情報関連テーブルに基づいて利用者識別情報と履歴情報とから利用者別制御条件を導出する。なお、ここにいう「利用者別制御条件」とはリアルタイムにおける利用者の状態に最適な条件である。そして、第１制御は、利用者別制御条件に基づいた制御である。
【０００９】
この空調制御システムでは、情報関連テーブル保持部が、利用者識別情報と履歴情報と利用者関連情報とを関連づけるテーブルである情報関連テーブルを保持する。条件導出部が、情報関連テーブルに基づいて利用者識別情報と履歴情報とから利用者別制御条件を導出する。そして、空調制御部が、利用者が存在すると認識された単位空間に対応する空気調和装置に対して、利用者別制御条件に基づいた制御である第１制御を行う。
したがって、この空調制御システムでは、条件導出部が利用者の状態に最適な制御条件である利用者別制御条件をリアルタイムに導出可能である。このため、利用者別制御条件に基づいて空調を行うことで、空調を受けている利用者にとって快適な空間を提供できる。
【００１０】
第４発明に係る空調制御システムは、第１発明から第３発明のいずれかに係る空調制御システムであって、位置情報取得手段をさらに備える。位置情報取得手段は、発信装置の位置情報を認識する。なお、ここにいう「位置情報取得手段」とは、例えば、携帯電話、ＰＨＳ、および無線ＬＡＮの基地局による通信網、ＧＰＳ衛星などのことである。位置情報取得手段は、発信装置の位置情報を認識する。そして、ネットワークを介して位置情報を履歴記録部に送信する。
【００１１】
この空調制御システムは、位置情報取得手段が、発信装置の位置情報を認識する。そして、ネットワークを介して履歴記録部が位置情報取得手段から送信された位置情報を履歴情報として記録する。
したがって、この空調制御システムでは、空気調和装置が空調する単位空間外においても、利用者の位置情報を認識可能である。これにより、この空調制御システムは、利用者が外出した場合の利用者の位置を把握することができる。
【００１２】
第５発明に係る空調制御システムは、第１発明から第４発明のいずれかに係る空調制御システムであって、環境情報取得手段をさらに備える。環境情報取得手段は、発信装置の各位置における環境情報を認識する。そして、ネットワークを介して環境情報を履歴記録部に送信する。
この空調制御システムは、環境情報取得手段が、発信装置の各位置における環境情報を認識する。そして、履歴記録部が、ネットワークを介して環境情報取得手段から送信された環境情報を履歴情報として記録する。
【００１３】
したがって、この空調制御システムは、空気調和装置が空調する単位空間外においても、利用者の各位置における環境情報を認識可能である。これにより、この空調制御システムは、利用者が外出した場合の利用者の状態を推定することができる。
【００１４】
第６発明に係る空調制御システムは、第１発明から第５発明に係る空調制御システムであって、単位空間は複数存在する。そして、空気調和装置は、単位空間において少なくとも一つ以上存在する。空気調和装置は、対応する単位空間それぞれにおいて空調する。
この空調制御システムでは、空気調和装置は、複数存在する単位空間の一つ一つに対して少なくとも一つ以上存在し、対応する単位空間のそれぞれに対して空調する。
したがって、この空調制御システムでは、空気調和装置は複数の部屋あるいは複数のビルにおいて利用者に応じた制御をすることができる。このため、利用者が複数の部屋や複数のビルを移動する際に、移動先でのリアルタイムにおける利用者の状態に従った空調制御が可能である。
【００１５】
第７発明に係る空調制御システムは、第１発明から第６発明に係る空調制御システムであって、空調制御部は、単位空間に複数の発信装置が存在している場合に、発信装置を携帯している利用者に対応する利用者関連情報を演算して得られる情報に基づいて第１制御を行う。
この空調制御システムでは、空調制御部が、単位空間に複数の発信装置が存在している場合に、発信装置を携帯する利用者に対応する利用者関連情報を演算して得られる情報に基づいて第１制御を行う。このため、この空調制御システムでは、単位空間に複数の利用者が存在している場合に、複数の利用者に対してできるだけ快適な空間を提供できるような制御パラメータを自動決定させることができる。
【００１６】
第８発明に係る空調制御システムは、第７発明に係る空調制御システムであって、利用者関連情報は、数値情報である。そして、空調制御部は、単位空間に複数の発信装置が存在している場合に、利用者関連情報の平均値に基づいて第１制御を行う。
この空調制御システムでは、単位空間に複数の発信装置が存在している場合に、空調制御部は、利用者関連情報の平均値に基づいて第１制御を行う。このため、この空調制御システムでは、単位空間に複数の利用者が存在している場合に、ほとんどの利用者に対して適度に快適な空間を提供することができる。
【００１７】
第９発明に係る空調制御システムは、第７発明に係る空調制御システムであって、利用者関連情報は、数値情報である。そして、空調制御部は、単位空間に複数の発信装置が存在している場合に、利用者関連情報の総和に基づいて第１制御を行う。
この空調制御システムでは、単位空間に複数の発信装置が存在している場合に、空調制御部は、利用者関連情報の総和に基づいて第１制御を行う。例えば、空調機器が換気装置である場合に、単位空間それぞれについて二酸化炭素センサを設けるのはコスト増につながる。しかし、この空調制御システムにおいて、利用者関連情報が居室空間を利用する人それぞれに固有の単位時間当たりの二酸化炭素排出量である場合に、単位時間当たりの二酸化炭素排出量に滞在時間を乗じた値の総和を求めれば、単位空間それぞれにおける二酸化炭素排出量が推定可能である。したがって、この空調制御システムでは、利用者関連情報が居室空間を利用する人それぞれに固有の単位時間当たりの二酸化炭素排出量である場合に、二酸化炭素センサを設けることなく低コストで同様の換気制御を行うことができる。
【００１８】
第１０発明に係る空調制御システムは、第７発明に係る空調制御システムであって、利用者関連情報には、優先度の情報が含まれる。そして、空調制御部は、単位空間に複数の発信装置が存在している場合に、高い優先度の情報が含まれる利用者関連情報を優先的に利用して第１制御を行う。なお、ここにいう「高い優先度の情報が含まれる利用者関連情報を優先的に利用」するとは、例えば、高い優先度の情報が含まれる上位数個の利用者関連情報のみを利用することや、高い優先度の情報が含まれる利用者関連情報に大きな重み付けをすることなどを意味する。
【００１９】
この空調制御システムでは、単位空間に複数の発信装置が存在している場合に、空調制御部が、高い優先度の情報が含まれる利用者関連情報を優先的に利用して第１制御を行う。このため、この空調制御システムでは、例えば、知的生産性の高い人や虚弱な人などに対して優先的に快適空間を提供することができ、組織全体の知的生産性の向上や虚弱者の健康保護などを図ることが可能となる。
【００２０】
第１１発明に係る空調制御システムは、第７発明に係る空調制御システムであって、利用者滞在時間計測部をさらに備える。利用者滞在時間計測部は、利用者の単位空間における滞在時間を計測する。そして、空調制御部は、単位空間に複数の利用者が存在している場合に、単位空間における滞在時間に基づいて第１制御を行う。このような第１制御の態様としては、例えば、単位空間における滞在時間の長い利用者に対応する利用者関連情報を優先的に利用して第１制御を行うこと、逆に、単位空間における滞在時間の短い利用者に対応する利用者関連情報を優先的に利用して第１制御を行うこと等が考えられる。なお、ここにいう「単位空間の滞在時間の長い又は短い利用者に対応する利用者関連情報を優先的に利用」するとは、例えば、単位空間における滞在時間の長い又は短い利用者に対応する上位数個の利用者関連情報のみを利用することや、単位空間における滞在時間の長い又は短い利用者に対応する利用者関連情報に大きな重み付けをすることなどを意味する。
この空調制御システムでは、単位空間に複数の利用者が存在している場合に、空調制御部が、単位空間における滞在時間に基づいて第１制御を行う。このため、この空調制御システムでは、単位空間における利用時間を考慮して快適空間を提供することができる。
【００２１】
第１２発明に係る空調制御システムは、第１発明から第１１発明のいずれかに係る空調制御システムであって、空調制御部は、存在認識部において発信装置が存在していないと認識された単位空間に対応する空気調和装置に対して第２制御を行う。なお、ここにいう「第２制御」とは第１制御とは異なる制御であり、例えば、空気調和装置を停止させる制御や、空気調和装置を最低能力で運転する制御などである。
【００２２】
この空調制御システムでは、空調制御部は、存在認識部において発信装置が存在していないと認識された単位空間に対応する空気調和装置に対して第２制御を行う。このため、この空調制御システムでは、居室全体を均一に制御するのに比べて消費エネルギーを低減することが可能となる。
【００２３】
第１３発明に係る空調制御システムは、第１２発明に係る空調制御システムであって、第２制御は、停止制御である。
この空調制御システムでは、第２制御が、停止制御である。したがって、この空調制御システムでは、その単位空間から出る際に、利用者が、空調をオフにしなくとも、自動的にオフにできる。このため、利用者の操作の負担を軽減できる。また、居室全体を均一に制御するのに比べて消費エネルギーを低減することが可能となる。
【００２４】
第１４発明に係る空調制御システムは、第１２発明に係る空調制御システムであって、空気調和装置は、インバータ制御される圧縮機を有する空気調和装置である。そして、第２制御は、圧縮機の運転周波数を最小にする制御である。
この空調制御システムでは、第２制御が、圧縮機の運転周波数を最小にする制御である。このため、この空調制御システムでは、居室全体を均一に制御するのに比べて消費エネルギーを低減することが可能となる。また、この空調制御システムでは、圧縮機を停止させないので、圧縮機の寿命を延ばすことができる。
【発明の効果】
【００２５】
第１発明に係る空調制御システムでは、利用者が携帯する発信装置の位置情報とその位置に関連する環境情報とを履歴情報として記録し、履歴情報を記録することにより時々刻々と変化する利用者の状態を推定することができる。このため、推定した利用者の状態と利用者の登録している利用者関連情報（温熱嗜好情報）とに基づいて空調を行うことができる。これにより、この空調制御システムは、利用者にとって快適な空間を提供できる。
【００２６】
第２発明に係る空調制御システムでは、利用者に保持させる情報記憶媒体を、例えば、ＲＦＩＤタグなどの簡素なものとすることができる。この結果、この空調制御システムは、低コストで構築することが可能となる。このため、この空調制御システムでは、利用者は利用者識別情報のみを保持しておけば良い。
第３発明に係る空調制御システムでは、条件導出部が利用者の状態に最適な制御条件である利用者別制御条件をリアルタイムに導出可能である。このため、利用者別制御条件に基づいて空調を行うことで、空調制御を受けている利用者にとって快適な空間を提供できる。
【００２７】
第４発明に係る空調制御システムでは、空気調和装置が空調する単位空間外においても、利用者の位置情報を認識可能である。これにより、この空調制御システムは、利用者が外出した場合の利用者の位置を把握することができる。
第５発明に係る空調制御システムでは、空気調和装置が空調する単位空間外においても、利用者の各位置における環境情報を認識可能である。これにより、この空調制御システムは、利用者が外出した場合の利用者の状態を推定することができる。
【００２８】
第６発明に係る空調制御システムでは、空気調和装置は複数の部屋あるいは複数のビルにおいて利用者に応じた制御をすることができる。このため、利用者が複数の部屋や複数のビルを移動する際に、移動先でのリアルタイムにおける利用者の状態に従った空調制御が可能である。
第７発明に係る空調制御システムでは、単位空間に複数の利用者が存在している場合に、複数の利用者に対してできるだけ快適な空間を提供できるような制御パラメータを自動決定させることができる。
【００２９】
第８発明に係る空調制御システムでは、この空調制御システムでは、単位空間に複数の利用者が存在している場合に、ほとんどの利用者に対して適度に快適な空間を提供することができる。
第９発明に係る空調制御システムでは、この空調制御システムでは、利用者関連情報が居室空間を利用する人それぞれに固有の単位時間当たりの二酸化炭素排出量である場合に、二酸化炭素センサを設けることなく低コストで同様の換気制御を行うことができる。
【００３０】
第１０発明に係る空調制御システムでは、知的生産性の高い人や虚弱な人などに対して優先的に快適空間を提供することができ、組織全体の知的生産性の向上や虚弱者の健康保護などを図ることが可能となる。
第１１発明に係る空調制御システムでは、単位空間における利用時間を考慮して快適空間を提供することができる。
【００３１】
第１２発明に係る空調制御システムでは、居室全体を均一に制御するのに比べて消費エネルギーを低減することが可能となる。
第１３発明に係る空調制御システムでは、その単位空間から出る際に、利用者が、空調をオフにしなくとも、自動的にオフにできる。このため、利用者の操作の負担を軽減できる。また、居室全体を均一に制御するのに比べて消費エネルギーを低減することが可能となる。
【００３２】
第１４発明に係る空調制御システムでは、居室全体を均一に制御するのに比べて消費エネルギーを低減することが可能となる。また、この空調制御システムでは、圧縮機を停止させないので、圧縮機の寿命を延ばすことができる。
【発明を実施するための最良の形態】
【００３３】
ここでは、図１〜図２０の図面を参照しながら本発明の実施の形態に係る空調制御システム１について説明する。
〔空調制御システム１〕
この空調制御システム１は、図１に示されるように、主に、空気調和装置２ａ，２ｂ，２ｃ，・・・、携帯型ＳＩＰ（Session Initiation Protocol）フォン４ａ，４ｂ，４ｃ，・・・、情報管理サーバ５、無線ＬＡＮ（Local Area Network）アクセスポイント１０ａ，１０ｂ，１０ｃ・・・、および制御装置７から構成されている。以下、これらの各構成要素について詳述する。
【００３４】
（１）空気調和装置
本実施の形態に係る空気調和装置２ａ，２ｂ，２ｃ，・・・は、図１に示されるように、主に、居室内に設置される室内機２０ａ，２０ｂ，２０ｃ，・・・、屋外に設置される室外機２１ａ，２１ｂ，２１ｃ，・・・、室内機２０ａ，２０ｂ，２０ｃ，・・・と室外機２１ａ，２１ｂ，２１ｃ，・・・とを冷媒循環可能に接続する冷媒配管２２ａ，２２ｂ，２２ｃ，・・・、および室内機２０ａ，２０ｂ，２０ｃ，・・・と室外機２１ａ，２１ｂ，２１ｃ，・・・とを通信接続する第１通信線２３ａ，２３ｂ，２３ｃ，・・・から構成されるセパレート型の空気調和装置である。また、この室内機２０ａ，２０ｂ，２０ｃ，・・・は、カセット式の室内機であり、化粧パネル２４ａ，２４ｂ，２４ｃ，・・・が居室側に露出するように天井裏に埋設される。また、この室外機２１ａ，２１ｂ，２１ｃ，・・・には、図示しない圧縮機が搭載されているが、この圧縮機は、インバータ制御可能な圧縮機である。なお、これらの空気調和装置２ａ，２ｂ，２ｃ，・・・は、基本機能として、送風機能、冷暖房機能、および除湿機能などを有する。また、これらの空気調和装置２ａ，２ｂ，２ｃ，・・・では室外機２１ａ，２１ｂ，２１ｃ，・・・それぞれに図示しない加湿ユニットが設けられており、加湿ユニットは第１給気管（図示せず）を介して室内機２０ａ，２０ｂ，２０ｃ，・・・に接続されている。このため、これらの空気調和装置２ａ，２ｂ，２ｃは、加湿機能をも有する。また、これらの空気調和装置２ａ，２ｂ，２ｃ，・・・では室内機２０ａ，２０ｂ，２０ｃ，・・・それぞれに外気導入管（図示せず）および第２排気管（図示せず）が配管接続されている。このため、これらの空気調和装置２ａ，２ｂ，２ｃ，・・・は、換気機能をも有する。なお、本実施の形態では、外気導入管および第２排気管は全熱交換器（図示せず）に接続されているため、換気時において無駄に熱を排出することはない。
そして、これらの空気調和装置２ａ，２ｂ，２ｃは、第１通信線９１を介して制御装置７に通信接続されており、制御装置７から送信される制御信号に従って種々の機能を発揮する。また、この室内機２０ａ，２０ｂ，２０ｃ，・・・には、図１に示されるように、無線ＬＡＮアクセスポイント１０ａ，１０ｂ，１０ｃ・・・が内蔵されている。
【００３５】
（２）携帯型ＳＩＰフォン
本実施の形態に係る携帯型ＳＩＰフォン４ａ，４ｂ，４ｃ，・・・は、携帯電話の形をした無線ＬＡＮ対応のＩＰ電話である。このため、この携帯型ＳＩＰフォン４ａ，４ｂ，４ｃ，・・・は、無線ＬＡＮアクセスポイント１０ａ，１０ｂ，１０ｃ・・・と無線通信を行うことができる。なお、この携帯型ＳＩＰフォン４ａ，４ｂ，４ｃ，・・・にはデータ書き換え可能な記憶部（図示せず）が内蔵されており、その記憶部にはＩＰ電話実行プログラムや、その携帯型ＳＩＰフォン４ａ，４ｂ，４ｃ，・・・を所有する人の識別番号データ（以下、利用者識別情報という）などが記憶されている。本実施の形態では、携帯型ＳＩＰフォン４ａ，４ｂ，４ｃ，・・・の電源が投入されている場合に、この携帯型ＳＩＰフォン４ａ，４ｂ，４ｃ，・・・は、利用者識別情報を常時発信している。
【００３６】
（３）情報管理サーバ
本実施の形態に係る情報管理サーバ５は、図２に示されるように、主に、サーバ本体５０、時計５７、およびルータ６１から構成されている。なお、情報管理サーバ５にメンテナンスやアップデートが必要な場合には、図示しない入力装置インターフェイスやディスプレイインターフェイス等に入力装置（図示せず）やディスプレイ（図示せず）等が適宜接続される。
【００３７】
サーバ本体５０は、図２に示されるように、主に、中央処理部５１、メインメモリ５３、ハードディスク５４、接続部５２、ＩＤＥインターフェイス５５、およびＬＡＮインターフェイス５６から構成されている。そして、このサーバ本体５０では、中央処理部５１が第１バス線５８を介して、メインメモリ５３が第２バス線５９を介して、ＬＡＮインターフェイス５６およびＩＤＥインターフェイス５５が第３バス線６０を介して接続部５２に接続されている。ここで、中央処理部５１は、例えば、マイクロプロセッサと呼ばれる半導体チップ等であって、主に、制御部５１ａおよび演算部５１ｂから構成される（他に１次キャッシュメモリや２次キャッシュメモリ等を含んでいても良い）。また、演算部５１ｂは、存在認識部５１ｂａと条件導出部５１ｂｂとから構成される。メインメモリ５３は、例えば、ＲＡＭ（ランダムアクセスメモリ）等の半導体チップである。接続部５２は、チップセット等の半導体チップである。なお、このハードディスク５４は、外付けタイプであっても構わない。
【００３８】
このハードディスク５４には、図３に示されるように、オペレーティングシステム５４ａ、デバイスドライバ５４ｂ、データベースアプリケーション５４ｃ、位置情報導出アプリケーション５４ｄ、制御パラメータ導出アプリケーション５４ｆ、およびソフトウェアタイマーアプリケーション５４ｇといったプログラムや、居室の平面座標データ５４ｅ（後述）、個人情報データベース５４ｃａ、行動履歴データベース５４ｃｂ、基地局データベース５４ｃｃ、設備対応関係データベース５４ｃｄ（後述）などが格納されている。オペレーティングシステム５４ａは、例えば、ＷＩＮＤＯＷＳ（登録商標）、ＭＡＣ  ＯＳ（登録商標）、ＯＳ／２、ＵＮＩＸ（登録商標）（例えば、Ｌｉｎｕｘ（登録商標）等）、あるいはＢｅＯＳ（登録商標）等であって、各部５２〜５４，５７、各種インターフェイス５５，５６、ルータ６１等のハードウェア管理や、ユーザインターフェイスの提供、各種データの管理、アプリケーションの共通部分の処理等を行う。デバイスドライバ５４ｂは、ハードディスク５４、接続部５２、およびルータ６１それぞれに対して用意されている専用プログラムであって、オペレーティングシステム５４ａがハードディスク５４、接続部５２、およびルータ６１を制御するための橋渡しを行う。
【００３９】
データベースアプリケーション５４ｃは、個人情報データベース５４ｃａ、行動履歴データベース５４ｃｂ、基地局データベース５４ｃｃ、設備対応関係データベース５４ｃｄなどを構築したりアップデートしたりするためのプログラムである。なお、本実施の形態において、個人情報データベース５４ｃａには、図１０に示されるように、利用者識別情報に対して、重み付け係数データ、ならびに冷房時希望設定温度データ、暖房時希望設定温度データ、冷房時希望設定湿度データ、暖房時希望設定湿度データ、および二酸化炭素排出量データなどの個人嗜好データが関連づけられた上で蓄積されている。なお、これらの重み付け係数データおよび個人嗜好データは、後述する様々な空調制御において利用されることになる。
【００４０】
位置情報導出アプリケーション５４ｄは、無線ＬＡＮアクセスポイント１０ａ，１０ｂ，１０ｃ，・・・からイーサネットケーブル９３、ネットワーク３、イーサネットケーブル９４、およびルータ６１を介して送信されてくる利用者識別情報と電波強度とから、その利用者識別情報を発信している携帯型ＳＩＰフォン４ａ，４ｂ，４ｃ，・・・の居室空間内における単位空間の位置を導出する。また、位置情報導出アプリケーション５４ｄは、無線ＬＡＮ通信網１２からネットワーク３を介して送信されてくる利用者識別情報と基地局識別情報と電波強度とから基地局データベース５４ｃｃを参照し、利用者識別情報を発信している携帯型ＳＩＰフォン４ａ，４ｂ，４ｃ，・・・の外出先における位置情報を導出し、無線ＬＡＮ基地局１２２ａ，１２２ｂ，１２２ｃ，・・・に設置されている環境センサにより測定された環境情報と導出した位置情報とを履歴情報として行動履歴データベース５４ｃｂに記録する。
【００４１】
制御パラメータ導出アプリケーション５４ｆは、制御装置７が空気調和装置２ａ〜２ｘを制御するために必須となる制御パラメータを導出し、制御装置７に送信する。ソフトウェアタイマーアプリケーション５４ｇは、時刻を刻む。ＩＤＥ（Integrated Drive Electronics）インターフェイス５５は、ハードディスク５４を接続部５２に接続する。ＬＡＮインターフェイス５６は、第１イーサネットケーブル９４ａを介してルータ６１に接続され、ルータ６１は第２イーサネットケーブル９４ｂを介して無線ＬＡＮアクセスポイント１０ａ，１０ｂ，１０ｃ，・・・に通信接続される。なお、ここで、符号９４ａ，９４ｂは、図１の符号９４に対応する。
【００４２】
次に、図４を用いて情報管理サーバ５の動作について説明する。制御部５１ａは、図４に示されるように、メインメモリ５３に一時記憶されるプログラムを読み込み（Ｆｄ５参照）、読み込んだプログラムに従って演算部５１ｂ、メインメモリ５３、ハードディスク５４、時計５７、およびルータ６１に動作を指示する（Ｆｃ１〜Ｆｃ５参照）。演算部５１ｂは、制御部５１ａの命令に従ってメインメモリ５３から必要なデータを取得して（Ｆｄ１参照）演算処理（例えば、算術演算処理や論理演算処理等）を行う。メインメモリ５３は、プログラムやデータ等をハードディスク５４から取得して（Ｆｄ３参照）一時記憶したり、演算部５１ｂやルータ６１から送信されるデータ（Ｆｄ２およびＦｄ７参照）を一時記憶したりする。また、このメインメモリ５３は、制御部５１ａの命令に応じて一時記憶しているデータ等を演算部５１ｂ、メインメモリ５３、ハードディスク５４、時計５７、およびルータ６１に送信する（Ｆｄ１、Ｆｄ４、およびＦｄ６参照）。ハードディスク５４は、制御部５１ａの命令に応じてメインメモリ５３にプログラムやデータ等を供給したり（Ｆｄ３参照）メインメモリ５３から送信されるデータ等を格納したりする（Ｆｄ４参照）。
【００４３】
（４）無線ＬＡＮアクセスポイント
本実施の形態に係る無線ＬＡＮアクセスポイント１０ａ，１０ｂ，１０ｃ・・・は、上述したように、室内機２０ａ，２０ｂ，２０ｃに内蔵される。なお、これらの無線ＬＡＮアクセスポイント１０ａ，１０ｂ，１０ｃ・・・のアンテナ１１ａ，１１ｂ，１１ｃは、化粧パネル２４ａ，２４ｂ，２４ｃ，・・・から居室側に露出するように突出している。また、これらの無線ＬＡＮアクセスポイント１０ａ，１０ｂ，１０ｃ・・・は、イーサネットケーブル９４およびルータ６１（図２参照）を介して情報管理サーバ５に通信接続されている。
【００４４】
（５）制御装置
本実施の形態に係る制御装置７は、図５に示されるように、主に、中央処理部７１、ＲＡＭ（Random Access Memory）７２、ＲＯＭ（Read Only Memory）７４、ＥＥＰＲＯＭ７５、Ｉ／Ｏ制御部７３、ＬＡＮ用インターフェイス７６、空気調和装置用インターフェイス７７、ＬＡＮケーブル用コネクタ７８、および空気調和装置用コネクタ７９から構成されている。ここで、中央処理部７１、ＲＡＭ７２、ＲＯＭ７４、ＥＥＰＲＯＭ７５、およびＩ／Ｏ制御部７３は、例えば、マイクロコンピュータであって、相互に第１バス線８０によって接続されており、１つの集積回路を構成している。また、ＬＡＮ用インターフェイス７６、および空気調和装置用インターフェイス７７は、例えば、プリント回路基板等であって、第２バス線８１ａ，８１ｂを介してＩ／Ｏ制御部７３に接続されている。また、ＬＡＮケーブル用コネクタ７８は、第３通信線８２を介してＬＡＮ用インターフェイス７６に接続されている。また、空気調和装置用コネクタ７９は、第４通信線８３を介して空気調和装置用インターフェイス７７に接続されている。
【００４５】
中央処理部７１は、主に、制御部７１Ａおよび演算部７１Ｂを有する。制御部７１Ａは、図６に示されるように、ＲＯＭ７４に記憶されている空調制御プログラムを読み込み（Ｆｄ６参照）、読み込んだ空調制御プログラムに従って演算部７１Ｂ、ＲＡＭ７２、ＲＯＭ７４、ＥＥＰＲＯＭ７５、およびＩ／Ｏ制御部７３に動作を指示する（Ｆｃ１〜Ｆｃ４参照）。演算部７１Ｂは、図６に示されるように、制御部７１Ａの命令に従って制御部７１Ａ、ＲＡＭ７２、ＲＯＭ７４、およびＥＥＰＲＯＭ７５から必要なデータを取得して（Ｆｄ１、Ｆｄ４、およびＦｄ７参照）演算処理（例えば、算術演算処理や論理演算処理等）を行う。また、この演算部７１Ｂは、制御部７１Ａの命令に従って、演算処理の処理結果データを制御部７１Ａに供給することができる（Ｆｄ２参照）。また、この演算部７１Ｂは、制御部７１Ａの命令に従って、演算処理の処理結果データをＲＡＭ７２やＥＥＰＲＯＭ７５に書き込むことができる（Ｆｄ３参照）。
【００４６】
ＲＡＭ７２は、図６に示されるように、制御部７１Ａの指示に従って、各種データを制御部７１Ａに供給することができる（Ｆｄ５参照）。また、このＲＡＭ７２は、データをＩ／Ｏ制御部７３から取得して（Ｆｄ９参照）一時記憶したり、演算部７１Ｂから送信されるデータ（Ｆｄ３参照）を一時記憶したりする。また、このＲＡＭ７２は、制御部７１Ａの命令に応じて一時記憶しているデータをＩ／Ｏ制御部７３に送信する（Ｆｄ８参照）。
【００４７】
ＲＯＭ７４は、監視制御プログラムや各種データを格納している。そして、このＲＯＭ７４は、図６に示されるように、制御部７１Ａの指示に従って、それらを制御部７１Ａに供給する（Ｆｄ６参照）。また、このＲＯＭ７４は、制御部７１Ａの指示に従って、各種データを演算部７１Ｂに供給することができる（Ｆｄ７参照）。
ＥＥＰＲＯＭ７５は、電気的に書き換え可能なＲＯＭであり、空気調和装置２ａ，２ｂ，２ｃ，・・・の監視データや情報管理サーバ５から提供される個人嗜好データなどを記憶する。
【００４８】
Ｉ／Ｏ制御部７３は、ＬＡＮ用インターフェイス７６に着信するデータや、空気調和装置２ａ，２ｂ，２ｃ，・・・から送信されてくる監視データ等をＲＡＭ７２へ入力したり（Ｆｄ９参照）、ＲＡＭ７２に記憶されている各種データや制御信号などを空気調和装置２ａ，２ｂ，２ｃ，・・・に送信したりする。
ＬＡＮ用インターフェイス７６、および空気調和装置用インターフェイス７７は、通信線８２，８３を介してＬＡＮケーブル用コネクタ７８、および空気調和装置用コネクタ７９に接続されており、情報管理サーバ５や、空気調和装置２ａ，２ｂ，２ｃ，・・・から送信されてくるデータ等を受信すると同時にそれらのデータを中央処理部７１が処理可能な形式に変換したりＩ／Ｏ制御部７３から情報管理サーバ５や、空気調和装置２ａ，２ｂ，２ｃ，・・・に出力されるデータや制御信号などを情報管理サーバ５や、空気調和装置２ａ，２ｂ，２ｃ，・・・が処理可能な形式に変換したりする。
【００４９】
ＬＡＮケーブル用コネクタ７８は、イーサネットケーブル９２に接続され、さらにネットワーク３、イーサネットケーブル９４を介して情報管理サーバ５へと接続される。
空気調和装置用コネクタ７９には、空気調和装置２ａ，２ｂ，２ｃ，・・・の室外機２１ａ，２１ｂ，２１ｃから伸びる第１通信線９１が接続される。
（６）無線ＬＡＮ通信網
本実施の形態に係る無線ＬＡＮ通信網１２は、図７に示されるように、主に、携帯型ＳＩＰフォン４ａ，４ｂ，４ｃ，・・・、無線ＬＡＮ基地局１２２ａ，１２２ｂ，１２２ｃ，・・・、ネットワーク３、および情報管理サーバ５から構成されている。ここで、携帯型ＳＩＰフォン４ａ，４ｂ，４ｃ，・・・と無線ＬＡＮ基地局１２２ａ，１２２ｂ，１２２ｃ，・・・・・・は、無線ＬＡＮ通信網１２を構成している。無線ＬＡＮ通信網１２は、ネットワーク３を介して情報管理サーバ５と接続されている。
【００５０】
携帯型ＳＩＰフォン４ａ，４ｂ，４ｃ，・・・と通信している無線ＬＡＮ基地局１２２ａ，１２２ｂ，１２２ｃ，・・・・・・はそれぞれ基地局識別情報を保持しており、各無線ＬＡＮ基地局１２２ａ，１２２ｂ，１２２ｃ，・・・・・・の位置情報は情報管理サーバ５内の基地局データベース５４ｃｃにおいて管理されている。情報管理サーバ５は、携帯型ＳＩＰフォン４ａ，４ｂ，４ｃ，・・・が無線ＬＡＮ基地局１２２ａ，１２２ｂ，１２２ｃ，・・・，・・・から受信した電波強度を基に基地局からの距離を測定する。このようにして、携帯型ＳＩＰフォン４ａ，４ｂ，４ｃ，・・・を携帯している利用者の外出先における位置は認識される。
【００５１】
〔履歴情報の記録〕
履歴情報の記録は、利用者が外出していない（利用者が単位空間内に存在する）場合と利用者が外出の場合とに分けて行われる。利用者が外出しているか否かの判断は、利用者の携帯している携帯型ＳＩＰフォン４ａ，４ｂ，４ｃ，・・・が空気調和装置２ａ，２ｂ，２ｃ，・・・に設置されている無線ＬＡＮアクセスポイント１０ａ，１０ｂ，１０ｃ・・・と通信しているか否かで情報管理サーバ５により行われる。ここでは、利用者の携帯している携帯型ＳＩＰフォン４ａ，４ｂ，４ｃ，・・・が無線ＬＡＮアクセスポイント１０ａ，１０ｂ，１０ｃ・・・と通信していれば利用者は外出していないと、利用者の携帯している携帯型ＳＩＰフォン４ａ，４ｂ，４ｃ，・・・が無線ＬＡＮアクセスポイント１０ａ，１０ｂ，１０ｃ・・・と通信していなければ利用者は外出していると、判断される。
【００５２】
（１）位置情報の取得
単位空間内における利用者の位置情報は、携帯型ＳＩＰフォン４ａ，４ｂ，４ｃ，・・・が無線ＬＡＮアクセスポイント１０ａ，１０ｂ，１０ｃ,・・・との通信によって得られる。この位置情報は、情報管理サーバ５により５分間隔で取得され、情報管理サーバ５内の行動履歴データベース５４ｃｂ内に利用者ごとに分類され記録される。
一方、外出先における利用者の位置情報は、情報管理サーバ５により無線ＬＡＮ通信網１２から５分間隔で取得され、情報管理サーバ５内の行動履歴データベース５４ｃｂ内に利用者ごとに分類され記録される。
【００５３】
（２）環境情報の取得
単位空間内における利用者の環境情報は、空気調和装置２ａ，２ｂ，２ｃ，・・・に設置されている環境センサ（図示せず）により測定される。携帯型ＳＩＰフォン４ａ，４ｂ，４ｃ，・・・が通信している無線ＬＡＮアクセスポイント１０ａ，１０ｂ，１０ｃ，・・・の周辺の気温、湿度、風速などを測定し、情報管理サーバ５に送信する。そして、環境情報は、情報管理サーバ５内の行動履歴データベース５４ｃｂに利用者ごとに分類され位置情報とともに記録される。
【００５４】
一方、外出先における利用者の環境情報は、無線ＬＡＮ基地局１２２ａ，１２２ｂ，１２２ｃ，・・・内に設置されている環境センサにより測定される。利用者に最も近いと認識された無線ＬＡＮ基地局１２２ａ，１２２ｂ，１２２ｃ，・・・周辺の天気、気温、湿度、風速などを測定し、ネットワーク３を介して情報管理サーバ５に送信する。そして、環境情報は、情報管理サーバ５内の行動履歴データベース５４ｃｂに利用者ごとに分類され位置情報とともに記録される。
【００５５】
〔居室における空気調和装置の配置〕
ビルＢ１，Ｂ２，Ｂ３は、本実施の形態において多数の人々が作業を行うオフィスビルであり、居室ＬＳ１，ＬＳ２，ＬＳ３，・・・，ＬＳ１１，ＬＳ１２，ＬＳ１３，・・・，ＬＳ２１，ＬＳ２２，ＬＳ２３，・・・は、多数の人々が作業を行うオフィスである（図８参照）。図９に示される居室ＬＳ１の上面図のように、情報管理サーバ５上において５メートル四方の単位空間１５ａ〜１５ｘに分割されている。ここで、単位空間１５ａ〜１５ｘの大きさを５ｍ四方としたのは、室内機２０ａ〜２０ｘの空調可能範囲に基づいている。また、ここで、室内機２０ａ〜２０ｘは、単位空間１５ａ〜１５ｘのほぼ中央に位置している。また、図９ではＬＳ１のみの図面だが、ＬＳ２，ＬＳ３，・・・，ＬＳ１１，ＬＳ１２，ＬＳ１３，・・・，ＬＳ２１，ＬＳ２２，ＬＳ２３，・・・も同様に分割されているものとする（図示せず）。
【００５６】
〔携帯型ＳＩＰフォンの位置検出と携帯型ＳＩＰフォンが存在する単位空間の特定〕
居室ＬＳ１は、情報管理サーバ５上で平面座標データ化されている（図９参照）。ここで、図中、符号Ｐ１で示される点は（０，０）で表されており、符号Ｐ２〜Ｐ３５で示される点は、それぞれ順に（１００，０）、（２００，０）、（３００，０）、（４００，０）、（５００，０）、（６００，０）、（０，１００）、（１００，１００）、（２００，１００）、（３００，１００）、（４００，１００）、（５００，１００）、（６００，１００）、（０，２００）、（１００，２００）、（２００，２００）、（３００，２００）、（４００，２００）、（５００，２００）、（６００，２００）、（０，３００）、（１００，３００）、（２００，３００）、（３００，３００）、（４００，３００）、（５００，３００）、（６００，３００）、（０，４００）、（１００，４００）、（２００，４００）、（３００，４００）、（４００，４００）、（５００，４００）、（６００，４００）で表されている。つまり、座標単位は、実際の居室ＬＳ１，ＬＳ２，ＬＳ３，・・・においては５ｃｍに相当することになる。居室ＬＳ２，ＬＳ３，・・・，ＬＳ１１，ＬＳ１２，ＬＳ１３，・・・，ＬＳ２１，ＬＳ２２，ＬＳ２３，・・・も同様である。
【００５７】
そして、上述したように、情報管理サーバ５では、位置情報導出アプリケーション５４ｄにより、利用者識別情報と電波強度とから利用者識別情報を発信している携帯型ＳＩＰフォン４ａ，４ｂ，４ｃ，・・・の座標データが導出される。そして、この座標データを平面座標データに照合して利用者識別情報を発信している携帯型ＳＩＰフォン４ａ，４ｂ，４ｃ，・・・、つまり人の存在する単位空間１５ａ〜１５ｘを特定する。例えば、位置情報導出アプリケーション５４ｄにより導出された座標が（３２５，２５２）であれば、携帯型ＳＩＰフォン４ａ，４ｂ，４ｃ，・・・、つまり人が符号１５ｊの単位空間に存在すると判断される。
【００５８】
〔空気調和装置と単位空間との対応関係〕
空気調和装置２ａ〜２ｘと単位空間１５ａ〜１５ｘとの対応関係は、設備対応関係データベース５４ｃｄとして情報管理サーバ５に記憶されている。設備対応関係データベース５４ｃｄでは、空気調和装置２ａ〜２ｘのアドレスデータと単位空間１５ａ〜１５ｘとが関係づけられている。なお、本実施の形態において、空気調和装置２ａ〜２ｘは、室内機２０ａ〜２０ｘが設置されている単位空間１５ａ〜１５ｘに対応づけられている。
【００５９】
〔空調制御システムの制御内容〕
（１）温湿度制御
携帯型ＳＩＰフォン４ａ，４ｂ，４ｃ，・・・が存在していなかった単位空間１５ａ〜１５ｘにおいて携帯型ＳＩＰフォン４ａ，４ｂ，４ｃ，・・・の存在が検出されると、情報管理サーバ５において、図１４に示されるフローチャートに従ってその単位空間１５ａ〜１５ｘの温湿度制御が行われる。
【００６０】
図１４において、ステップＳ１では、情報管理サーバ５が、携帯型ＳＩＰフォン４ａ，４ｂ，４ｃ，・・・の存在が検出された単位空間１５ａ〜１５ｘに対応する空気調和装置２ａ〜２ｘのアドレスデータを設備対応関係データベース５４ｃｄから抽出する。ステップＳ２では、情報管理サーバ５が、制御装置７に対して、携帯型ＳＩＰフォン４ａ，４ｂ，４ｃ，・・・の存在が検出された単位空間１５ａ〜１５ｘに対応する空気調和装置２ａ〜２ｘのアドレスデータを送信し、その空気調和装置２ａ〜２ｘの運転モードデータを要求する。ステップＳ３では、情報管理サーバ５が、制御装置７からその空気調和装置２ａ〜２ｘの運転モードデータを受信する。ステップＳ４では、情報管理サーバ５が、受信した運転モードデータが冷房モードデータであるか、暖房モードデータであるか、あるいはその他の運転モードデータであるかを判定する。ステップＳ４において情報管理サーバ５が、受信した運転モードデータが冷房モードデータであると判定した場合に、処理はステップＳ５に移る。ステップＳ４において情報管理サーバ５が、受信した運転モードデータが暖房モードデータであると判定した場合、処理はステップＳ９に移る。ステップＳ４において情報管理サーバ５が、受信した運転モードデータがその他の運転モードデータであると判定した場合に、処理は終了される。ステップＳ５では、情報管理サーバ５が、携帯型ＳＩＰフォン４ａ，４ｂ，４ｃ，・・・から発信されている利用者識別情報に対応する冷房時希望設定温度データ、冷房時希望設定湿度データ、および冷房時希望設定風量データ（以下、冷房時希望設定データと略する）を個人情報データベース５４ｃａから、個人行動履歴データを行動履歴データベース５４ｃｂから、補正動作を補正データベース５４ｃｅから抽出する。ステップＳ６では、情報管理サーバ５が、冷房時希望設定データと補正動作とからリアルタイムにおける利用者の状態に適した利用者最適冷房データを導出する。ステップＳ７では、情報管理サーバ５が、ステップＳ１において抽出された空気調和装置２ａ〜２ｘのアドレスデータ、ステップＳ６において抽出された利用者最適冷房データ、および温湿度制御の実行指令信号を制御装置７に送信する。ステップＳ８では、制御装置７が、受信したアドレスデータに対応する空気調和装置２ａ〜２ｘに対して、設定温度を利用者最適冷房温度と等しくするための制御信号と、設定湿度を利用者最適冷房湿度と等しくするための制御信号と、設定風量を利用者最適冷房風量と等しくするための制御信号とを送信する。一方、ステップＳ９では、情報管理サーバ５が、携帯型ＳＩＰフォン４ａ，４ｂ，４ｃ，・・・から発信されている利用者識別情報に対応する暖房時希望設定温度データ、暖房時希望設定湿度データ、および暖房時希望設定風量データ（以下、暖房時希望設定データと略する）を個人情報データベース５４ｃａから、個人行動履歴データを行動履歴データベース５４ｃｂから抽出する。ステップＳ１０では、情報管理サーバ５が、暖房希望設定データと補正動作とから利用者のリアルタイムにおける利用者の状態に適した利用者最適暖房データを導出する。ステップＳ１１では、情報管理サーバ５が、ステップＳ１において抽出された空気調和装置２ａ〜２ｘのアドレスデータ、ステップＳ１０において導出された利用者最適暖房データ、および温湿度制御の実行指令信号を制御装置７に送信する。ステップＳ１２では、制御装置７が、受信したアドレスデータに対応する空気調和装置２ａ〜２ｘに対して、設定温度を利用者最適暖房温度と等しくするための制御信号と、設定湿度を利用者最適暖房湿度と等しくするための制御信号と、設定風量を利用者最適暖房風量と等しくするための制御信号とを送信する。
【００６１】
なお、情報管理サーバ５において、単位空間１５ａ〜１５ｘに複数の携帯型ＳＩＰフォン４ａ，４ｂ，４ｃ，・・・が検出されると、図１５に示されるフローチャートに従って空気調和装置２ａ〜２ｘの設定温度および設定湿度が決定される。
図１５において、ステップＳ２１では、情報管理サーバ５が、複数の携帯型ＳＩＰフォン４ａ，４ｂ，４ｃ，・・・それぞれから発信されている利用者識別情報に対応する重み付け係数データと冷房時希望設定データ（暖房時希望設定データ）とを個人情報データベース５４ｃａから、個人行動履歴データを行動履歴データベース５４ｃｂから、補正動作を補正データベース５４ｃｅとから抽出する。なお、ステップＳ２１において冷房時希望設定データが抽出されるか暖房時希望設定データが抽出されるかについては、図１４に示されるフローチャートと同様の理屈で決定される。ステップ２２では、情報管理サーバ５が、冷房時希望設定データまたは暖房時希望設定データと補正動作とからリアルタイムにおける利用者の状態に適した利用者最適冷房データ（利用者最適暖房データ）を導出する。ステップＳ２３では、情報管理サーバ５が、演算部５１ｂにおいて、利用者最適冷房データ（利用者最適暖房データ）を、重み付け係数を用いて重み付け平均する。例えば、利用者識別情報１００５０１を発信する携帯型ＳＩＰフォン４ａ，４ｂ，４ｃ，・・・を携帯する人と、利用者識別番号１００５７５を発信する携帯型ＳＩＰフォン４ａ，４ｂ，４ｃ，・・・を携帯する人とが同じ単位空間１５ａ〜１５ｘに存在する場合であれば、利用者最適冷房温度の重み付け平均の結果は、（８ｘ２８．０＋１ｘ２９．０）／（８＋１）＝２８．１となる。ステップＳ２４では、情報管理サーバ５が、演算部５１ｂにおいて、ステップＳ２３において求められた数値を丸める。なお、利用者最適温度の重み付け平均値を丸める場合は、０．５℃単位で丸める。上記の例であれば、２８．５℃よりも２８．０℃の方が近いので、その値は２８．０℃とされる。また、利用者最適湿度の重み付け平均値を丸める場合は、１％単位で丸める。ステップＳ２５では、情報管理サーバ５が、複数の携帯型ＳＩＰフォン４ａ，４ｂ，４ｃ，・・・の存在が検出された単位空間１５ａ〜１５ｘに対応する空気調和装置２ａ〜２ｘのアドレスデータ、ステップＳ２４において出力された重み付け平均値データ、および温湿度制御の実行指令信号を制御装置７に送信する。ステップＳ２６では、制御装置７が、受信したアドレスデータに対応する空気調和装置２ａ〜２ｘに対して、利用者最適温度を重み付け平均値と等しくするための制御信号を送信する。
【００６２】
（２）補正制御
温湿度制御において情報管理サーバ５は、空気調和装置が空調する居室空間ＬＳ１，ＬＳ２，ＬＳ３，・・・，ＬＳ１１，ＬＳ１２，ＬＳ１３，・・・，ＬＳ２１，ＬＳ２２，ＬＳ２３，・・・に利用者が存在することを認識すると、個人行動履歴データに基づいて補正動作（図１２，１３参照）を導出する。
【００６３】
図１０に個人情報データベースを、図１１に行動履歴データの一例を示す。例えば、利用者識別番号１００５０５の利用者が８月２９日の９時４６分に、居室空間ＬＳ１，ＬＳ２，ＬＳ３，・・・，ＬＳ１１，ＬＳ１２，ＬＳ１３，・・・，ＬＳ２１，ＬＳ２２，ＬＳ２３，・・・に入るとする。この場合に、まず情報管理サーバ５は利用者の利用者識別番号を取得し、取得した利用者識別番号と行動履歴データベース５４ｃｂとを照合して利用者の直前の行動履歴データを導出する。利用者識別番号１００５０５の利用者には図１１に示すように９：００〜９：４５の行動履歴データが存在する。この行動履歴データに基づいて、情報管理サーバ５は、補正データベースより補正動作を導出する。例えば、この場合に、利用者識別番号１００５０５の利用者の個人行動履歴データから外出時間４５分間、気温２９℃、湿度６０％であることが分かる。また、利用者識別番号１００５０５の利用者の冷房時希望設定温度は２７．５℃、冷房時希望設定湿度は４５％（図１０参照）であるため希望設定温度との温度差は１．５℃、希望設定湿度との湿度差は１５％である。ここで、図１２に示す補正データベースより、この場合における補正動作は、「設定温度を１℃下げる」、「設定風量を１段階上げる」、「設定湿度を１５％下げる」となる。なお、この補正動作は、外出先から居室空間内に入って３０分間のみ有効であり、３０分後には利用者の個人嗜好データのみに基づいて制御される。
【００６４】
（３）換気制御
本実施の形態に係る空調制御システム１では、１時間おきに、図１６に示されるフローチャートに従って換気制御が行われる。
図１６において、ステップＳ３１では、情報管理サーバ５が、単位空間１５ａ〜１５ｘごとに、いずれの携帯型ＳＩＰフォン４ａ，４ｂ，４ｃ，・・・が存在するかを確認する。ステップＳ３２では、情報管理サーバ５が、単位空間１５ａ〜１５ｘごとに、携帯型ＳＩＰフォン４ａ，４ｂ，４ｃ，・・・から発信されている利用者識別情報（個人識別番号データ）に対応する二酸化炭素排出量データを個人情報データベース５４ｃａから、個人行動履歴データを行動履歴データベース５４ｃｂから、補正動作を補正データベース５４ｃｅから抽出する。ステップ３３では、情報管理サーバ５が、二酸化炭素排出量データと補正動作とからリアルタイムにおける利用者の状態に適した利用者最適二酸化炭素排出量データを導出する。ステップＳ３４では、情報管理サーバ５が、演算部５１ｂにおいて、単位空間１５ａ〜１５ｘごとに、利用者最適二酸化炭素排出量の総和を算出する。なお、このとき、換気制御が行われるまでの１時間に携帯型ＳＩＰフォン４ａ，４ｂ，４ｃ，・・・が存在した履歴のない単位空間１５ａ〜１５ｘについては、その総和は０となる。また、携帯型ＳＩＰフォン４ａ，４ｂ，４ｃ，・・・が１台しか存在しない単位空間１５ａ〜１５ｘについては、その利用者最適二酸化炭素排出量がそのまま総和とみなされる。ステップＳ３５では、情報管理サーバ５が、各単位空間１５ａ〜１５ｘに対応する空気調和装置２ａ〜２ｘのアドレスデータ、各単位空間１５ａ〜１５ｘについて算出された総和値のデータ、および換気制御の実行指令信号を制御装置７に送信する。ステップＳ３６では、制御装置７が、各アドレスに対応する空気調和装置２ａ〜２ｘに対して、換気量を総和値と等しくするための制御信号を送信する。なお、これらの制御信号が各空気調和装置２ａ〜２ｘにおいて受信された場合に、各空気調和装置２ａ〜２ｘでは、外気導入管のダンパ（図示せず）の開度が調節される。また、総和値が０である場合に、このダンパは閉状態となる。
【００６５】
（４）省エネルギー空調制御
携帯型ＳＩＰフォン４ａ，４ｂ，４ｃ，・・・が存在していた単位空間１５ａ〜１５ｘにおいて携帯型ＳＩＰフォン４ａ，４ｂ，４ｃ，・・・の存在が検出されなくなると、情報管理サーバ５において、図１７〜図２０に示されるフローチャートに従ってその単位空間１５ａ〜１５ｘの省エネルギー空調制御が行われる。
【００６６】
図１７〜図２０において、ステップＳ４１では、情報管理サーバ５が、携帯型ＳＩＰフォン４ａ，４ｂ，４ｃ，・・・の存在が検出されなくなった単位空間１５ａ〜１５ｘに対応する空気調和装置２ａ〜２ｘのアドレスデータと、その単位空間１５ａ〜１５ｘに隣接する単位空間１５ａ〜１５ｘに対応する空気調和装置２ａ〜２ｘのアドレスデータとを設備対応関係データベース５４ｃｄから抽出する。ステップＳ４２では、情報管理サーバ５が、制御装置７に対して、携帯型ＳＩＰフォン４ａ，４ｂ，４ｃ，・・・の存在が検出されなくなった単位空間１５ａ〜１５ｘに隣接する単位空間１５ａ〜１５ｘに対応する空気調和装置２ａ〜２ｘのアドレスデータを送信し、それらの空気調和装置２ａ〜２ｘの運転モードデータを要求する。ステップＳ４３では、情報管理サーバ５が、制御装置７からそれらの空気調和装置２ａ〜２ｘの運転モードデータを受信する。ステップＳ４４では、情報管理サーバ５が、受信した複数の運転モードデータの中に冷房モードデータが含まれるか否かについて判定する。ステップＳ４４において情報管理サーバ５が、受信した運転モードデータの中に冷房モードデータが含まれると判定した場合に、処理はステップＳ４５に移る。ステップＳ４４において情報管理サーバ５が、受信した運転モードデータの中に冷房モードデータが含まれないと判定した場合に、処理はステップＳ４６に移る。ステップＳ４５では、情報管理サーバ５が、受信した複数の運転モードデータの中に暖房モードデータが含まれるか否かについて判定する。ステップＳ４５において情報管理サーバ５が、受信した運転モードデータの中に暖房モードデータが含まれると判定した場合に、処理はステップＳ４７に移る。ステップＳ４５において情報管理サーバ５が、受信した運転モードデータの中に暖房モードデータが含まれないと判定した場合に、処理はステップＳ４９に移る。ステップＳ４６では、情報管理サーバ５が、受信した複数の運転モードデータの中に暖房モードデータが含まれるか否かについて判定する。ステップＳ４６において情報管理サーバ５が、受信した運転モードデータの中に暖房モードデータが含まれると判定した場合に、処理はステップＳ５１に移る。ステップＳ４５において情報管理サーバ５が、受信した運転モードデータの中に暖房モードデータが含まれないと判定した場合に、処理はステップＳ４７に移る。ステップＳ４７では、情報管理サーバ５が、携帯型ＳＩＰフォン４ａ，４ｂ，４ｃ，・・・の存在が検出されなくなった単位空間１５ａ〜１５ｘに対応する空気調和装置２ａ〜２ｘのアドレスデータおよびアイドリングモード実行指令信号を制御装置７に送信する。なお、ここにいう「アイドリングモード」とは、室外機２１ａ，２１ｂ，２１ｃ，・・・の圧縮機の運転周波数が最低となるように制御するとともに室内機２０ａ，２０ｂ，２０ｃ，・・・の室内ファンを停止させる運転モードのことである。ステップＳ４８では、制御装置７が、受信したアドレスデータに対応する空気調和装置２ａ〜２ｘに対して、アイドリングモード実行信号を送信する。ステップＳ４９では、情報管理サーバ５が、携帯型ＳＩＰフォン４ａ，４ｂ，４ｃ，・・・の存在が検出されなくなった単位空間１５ａ〜１５ｘに対応する空気調和装置２ａ〜２ｘのアドレスデータおよびセービング冷房モード実行指令信号を制御装置７に送信する。なお、ここにいう「セービング冷房モード」とは、室外機２１ａ，２１ｂ，２１ｃ，・・・の圧縮機の運転周波数を最大周波数の１／４となるように制御するとともに室内機２０ａ，２０ｂ，２０ｃ，・・・の室内ファンを最低回転速度で回転させる冷房運転モードのことである。ステップＳ５０では、制御装置７が、受信したアドレスデータに対応する空気調和装置２ａ〜２ｘに対して、セービング冷房モード実行信号を送信する。ステップＳ５１では、情報管理サーバ５が、携帯型ＳＩＰフォン４ａ，４ｂ，４ｃ，・・・の存在が検出されなくなった単位空間１５ａ〜１５ｘに対応する空気調和装置２ａ〜２ｘのアドレスデータおよびセービング暖房モード実行指令信号を制御装置７に送信する。なお、ここにいう「セービング暖房モード」とは、室外機２１ａ，２１ｂ，２１ｃ，・・・の圧縮機の運転周波数を最大周波数の１／４となるように制御するとともに室内機２０ａ，２０ｂ，２０ｃ，・・・の室内ファンを最低回転速度で回転させる暖房運転モードのことである。ステップＳ５２では、制御装置７が、受信したアドレスデータに対応する空気調和装置２ａ〜２ｘに対して、セービング暖房モード実行信号を送信する。
【００６７】
〔空調制御システムの特徴〕
（１）
本実施の形態に係る空調制御システム１では、無線ＬＡＮ通信網１２により、携帯型ＳＩＰフォン４ａ，４ｂ，４ｃ，・・・が通信している無線ＬＡＮ基地局１２２ａ，１２２ｂ，１２２ｃ，・・・，・・・の基地局識別情報と携帯型ＳＩＰフォン４ａ，４ｂ，４ｃ，・・・が受信している電波強度と無線ＬＡＮ基地局１２２ａ，１２２ｂ，１２２ｃ，・・・データとから、利用者の外出先における位置情報が導出される。また、無線ＬＡＮ基地局１２２ａ，１２２ｂ，１２２ｃ，・・・，・・・に設置されている環境センサにより環境情報が導出される。そして、情報管理サーバ５内の行動履歴データベース５４ｃｂ内には、利用者識別情報に対して関連づけられた上で位置情報と環境情報とが履歴情報として記録される。また、個人情報データベース５４ｃａには、図１０に示されるように、利用者識別情報に対して、重み付け係数データ、ならびに冷房時希望設定温度データ、暖房時希望設定温度データ、冷房時希望設定湿度データ、暖房時希望設定湿度データ、および二酸化炭素排出量データなどの個人嗜好データが関連づけられた上で蓄積されている。そして、情報管理サーバ５は、履歴情報と個人嗜好データとからリアルタイムにおける利用者の状態に適した補正動作を導出する。また、位置情報導出アプリケーション５４ｄにより、利用者識別情報と電波強度とから利用者識別情報を発信している携帯型ＳＩＰフォン４ａ，４ｂ，４ｃ，・・・の座標データが導出される。そして、得られた座標データを平面座標データに照合して利用者識別情報を発信している携帯型ＳＩＰフォン４ａ，４ｂ，４ｃ，・・・、つまり人の存在する単位空間１５ａ〜１５ｘを特定する。なお、設備対応関係データベース５４ｃｄでは、空気調和装置２ａ〜２ｘのアドレスデータと単位空間１５ａ〜１５ｘとが関係づけられている。そして、制御装置７が、携帯型ＳＩＰフォン４ａ，４ｂ，４ｃ，・・・が存在する単位空間１５ａ〜１５ｘに対応する空気調和装置２ａ〜２ｘに対して個人嗜好データを利用した種々の制御を実行する。このため、この空調制御システム１では、携帯型ＳＩＰフォン４ａ，４ｂ，４ｃ，・・・の位置情報とその位置に関連する環境情報とを履歴情報として記録し、履歴情報を記録することにより時々刻々と変化する利用者の状態を推定することができる。このため、推定した利用者の状態と利用者の登録している利用者関連情報（温熱嗜好情報）とに基づいて空調を行うことができる。これにより、この空調制御システム１は、利用者にとって快適な空間を提供できる。
【００６８】
（２）
本実施の形態に係る空調制御システム１では、単位空間１５ａ〜１５ｘに複数の携帯型ＳＩＰフォン４ａ，４ｂ，４ｃ，・・・が存在している場合に、情報管理サーバ５が、重み付け係数を利用して空気調和装置２ａ〜２ｘの設定温度を決定する。このため、この空調制御システム１では、例えば、知的生産性の高い人や虚弱な人などに対して優先的に快適空間を提供することができ、組織全体の知的生産性の向上や虚弱者の健康保護などを図ることが可能となる。
【００６９】
（３）
本実施の形態に係る空調制御システム１では、単位空間１５ａ〜１５ｘに複数の携帯型ＳＩＰフォン４ａ，４ｂ，４ｃ，・・・が存在している場合に、情報管理サーバ５が、複数の携帯型ＳＩＰフォン４ａ，４ｂ，４ｃ，・・・から発信される利用者識別情報に対応する二酸化炭素排出量の総和に基づいて換気制御を行う。このため、この空調制御システム１では、二酸化炭素センサを設けることなく低コストで換気制御を行うことができる。
【００７０】
（４）
本実施の形態に係る空調制御システム１では、空気調和装置２ａ，２ｂ，２ｃ，・・・は、複数存在する単位空間の一つ一つに対して少なくとも一つ以上存在し、対応する単位空間のそれぞれに対して空調する。
したがって、この空調制御システム１では、空気調和装置２ａ，２ｂ，２ｃ，・・・は複数の居室ＬＳ１，ＬＳ２，ＬＳ３，・・・あるいは複数のビルＢ１，Ｂ２，Ｂ３，・・・において利用者に応じた制御をすることができる。このため、利用者が複数の部屋ＬＳ１，ＬＳ２，ＬＳ３，・・・や複数のビルＢ１，Ｂ２，Ｂ３，・・・を移動する際に、移動先でのリアルタイムにおける利用者の状態に適した空調が可能である。
【００７１】
（５）
本実施の形態に係る空調制御システム１では、単位空間に複数の（利用者が携帯する）携帯型ＳＩＰフォン４ａ，４ｂ，４ｃ，・・・が存在している場合に、制御装置７は、携帯型ＳＩＰフォン４ａ，４ｂ，４ｃ，・・・を携帯する利用者に対応する冷房時希望温湿度データあるいは暖房時希望温湿度データの平均値に基づいて第１制御を行う。
このため、この空調制御システム１では、単位空間に複数の利用者が存在している場合に、複数の利用者に対してできるだけ快適な空間を提供できるような制御パラメータを自動決定させることができ、適度に快適な空間を提供することができる。
【００７２】
（６）
本実施の形態に係る空調制御システム１では、単位空間に複数の（利用者が携帯する）携帯型ＳＩＰフォン４ａ，４ｂ，４ｃ，・・・が存在している場合に、制御装置７は、単位空間における滞在時間に基づいて第１制御を行う。
このため、この空調制御システム１では、単位空間における利用時間を考慮して快適空間を提供することができる。
【００７３】
（７）
本実施の形態に係る空調制御システム１では、携帯型ＳＩＰフォン４ａ，４ｂ，４ｃ，・・・が存在していた単位空間１５ａ〜１５ｘにおいて携帯型ＳＩＰフォン４ａ，４ｂ，４ｃ，・・・の存在が検出されなくなると、携帯型ＳＩＰフォン４ａ，４ｂ，４ｃ，・・・の存在が検出されなくなった単位空間１５ａ〜１５ｘに隣接する単位空間１５ａ〜１５ｘに対応する空気調和装置２ａ〜２ｘの運転モードを参照して、携帯型ＳＩＰフォン４ａ，４ｂ，４ｃ，・・・の存在が検出されなくなった単位空間１５ａ〜１５ｘに対応する空気調和装置２ａ〜２ｘをアイドリングモードとするか、セービング冷房モードとするか、セービング暖房モードとするかを決定する。このため、この空調制御システム１では、居室ＬＳ１，ＬＳ２，ＬＳ３，・・・全体を均一に制御するのに比べて消費エネルギーを低減することが可能となるとともに、携帯型ＳＩＰフォン４ａ，４ｂ，４ｃ，・・・の存在が検出されなくなった単位空間１５ａ〜１５ｘに隣接する単位空間１５ａ〜１５ｘに存在するであろう人の快適性を著しく下げることを抑制することができる。また、この空調制御システム１では、携帯型ＳＩＰフォン４ａ，４ｂ，４ｃ，・・・の存在が検出されなくなった単位空間１５ａ〜１５ｘに隣接する単位空間１５ａ〜１５ｘに携帯型ＳＩＰフォン４ａ，４ｂ，４ｃ，・・・、つまり人が存在しない場合であっても圧縮機を停止させないので、圧縮機の寿命を延ばすことができる。
【００７４】
〔変形例〕
（Ａ）
先の実施の形態に係る空調制御システム１では、天井埋設型のカセット式空気調和装置２ａ〜２ｘが採用されたが、これに代えて、天井吊下型の空気調和装置が採用されても構わない。
【００７５】
（Ｂ）
先の実施の形態に係る空調制御システム１では、空気調和装置２ａ〜２ｘにビルマルチエアコンが採用されたが、これに代えて、ルームエアコンが採用されても構わない。この場合に、制御装置７は、ルームエアコンに内蔵される。
（Ｃ）
先の実施の形態に係る空調制御システム１では、情報管理サーバ５と制御装置７とが別々に設けられていたが、これらは物理的に又は機能的に一体とされても構わない。
【００７６】
（Ｄ）
先の実施の形態に係る空調制御システム１では、電波強度を利用して携帯型ＳＩＰフォン４ａ，４ｂ，４ｃ，・・・の位置検出を行ったが、これに代えて、ＴＤＯＡ（Time Difference Of Arrival）測定に基づく三辺測量方式を利用して携帯型ＳＩＰフォン４ａ，４ｂ，４ｃ，・・・の位置検出を行っても良い。
【００７７】
（Ｅ）
先の実施の形態に係る空調制御システム１では、ＶｏＩＰシステムを利用して人が存在する単位空間１５ａ〜１５ｘを特定したが、これに代えて、カメラ映像を利用して人が存在する単位空間を特定するようにしても良い。なお、かかる場合に、単位空間は、カメラからの撮影画像を分割しておくことによって生成される。
【００７８】
（Ｆ）
先の実施の形態に係る空調制御システム１では、ＶｏＩＰシステムを利用して人が存在する単位空間１５ａ〜１５ｘを特定したが、これに代えて、人検知センサを利用して人が存在する単位空間を特定するようにしても良い。かかる場合に、単位空間は、人検知センサなどの検知範囲を調節することによって生成される。
【００７９】
（Ｇ）
先の実施の形態に係る空調制御システム１では、携帯型ＳＩＰフォン４ａ，４ｂ，４ｃ，・・・が存在していた単位空間１５ａ〜１５ｘにおいて携帯型ＳＩＰフォン４ａ，４ｂ，４ｃ，・・・の存在が検出されなくなり、携帯型ＳＩＰフォン４ａ，４ｂ，４ｃ，・・・の存在が検出されなくなった単位空間１５ａ〜１５ｘに隣接する単位空間１５ａ〜１５ｘに対応する空気調和装置２ａ〜２ｘの運転モードが冷房モードでも暖房モードでもない場合に、あるいは運転モードの中に冷房モードと暖房モードとの両方が含まれている場合に、携帯型ＳＩＰフォン４ａ，４ｂ，４ｃ，・・・の存在が検出されなくなった単位空間１５ａ〜１５ｘに対応する空気調和装置２ａ〜２ｘをアイドリングモードとした。しかし、かかる場合に、圧縮機を停止させても構わない。
【００８０】
（Ｈ）
先の実施の形態に係る空調制御システム１では、携帯型ＳＩＰフォン４ａ，４ｂ，４ｃ，・・・と無線ＬＡＮアクセスポイント１０ａ，１０ｂ，１０ｃ・・・とを利用して利用者識別情報を情報管理サーバ５に送信したが、これに代えて、ＲＦＩＤタグ４０ａ，４０ｂ，４０ｃ，・・・とタグリーダ１００ａ，１００ｂ，１００ｃ，・・・とを利用して利用者識別情報を情報管理サーバ５に送信しても構わない（図２１参照）。また、この場合に、外出先における位置情報は、ＰＨＳ２２１を携帯しＰＨＳ通信網２２を利用することにより取得しても構わないし、ＧＰＳ機能付き携帯２３１を携帯しＧＰＳ携帯電話通信網２３を利用することにより取得しても構わない（図２２，図２３参照）。
【００８１】
（Ｉ）
先の実施の形態に係る空調制御システム１では、環境情報を測定する環境センサは、無線ＬＡＮ基地局１２２ａ，１２２ｂ，１２２ｃ，・・・に設置されていたが、利用者が携帯する携帯型ＳＩＰフォンに内蔵しても構わない。
（Ｊ）
先の実施の形態に係る空調制御システム１では、利用者の履歴情報を取得することで、リアルタイムにおける利用者の状態を推定していたが、利用者があらかじめ行動スケジュールを入力することでリアルタイムにおける利用者の状態を推定するようにしても構わない。
【００８２】
（Ｋ）
先の実施の形態に係る空調制御システム１では、携帯型ＳＩＰフォン４ａ，４ｂ，４ｃ，・・・が利用者識別情報を常時発信していたが、個人情報データベース５４ｃａをなくして、それぞれの個人嗜好データを携帯型ＳＩＰフォン４ａ，４ｂ，４ｃ，・・・に記憶させて利用者識別情報とともに個人嗜好データを常時発信させるようにしても良い。
【００８３】
（Ｌ）
先の実施の形態に係る空調制御システム１では、単位空間１５ａ〜１５ｘに複数の携帯型ＳＩＰフォン４ａ，４ｂ，４ｃ，・・・が存在している場合に、情報管理サーバ５が、重み付け係数を利用して空気調和装置２ａ〜２ｘの設定温度を決定した。しかし、情報管理サーバ５が単純平均値を利用して空気調和装置２ａ〜２ｘの設定温度を決定するようにしても構わない。
【００８４】
（Ｍ）
先の実施の形態に係る空調制御システム１では、単位空間１５ａ〜１５ｘに複数の携帯型ＳＩＰフォン４ａ，４ｂ，４ｃ，・・・が存在している場合に、情報管理サーバ５が、重み付け係数を利用して空気調和装置２ａ〜２ｘの設定温度を決定した。しかし、単位空間１５ａ〜１５ｘに存在している携帯型ＳＩＰフォン４ａ，４ｂ，４ｃ，・・・の滞在時間を計測して、単位空間１５ａ〜１５ｘの滞在時間の長い携帯型ＳＩＰフォン４ａ，４ｂ，４ｃ，・・・に対応する個人嗜好データに大きな重み付け係数を与え、その重み付けを利用して空気調和装置２ａ〜２ｘの設定温度または換気量を決定しても構わない。
【００８５】
（Ｎ）
先の実施の形態に係る空調制御システム１では、携帯型ＳＩＰフォン４ａ，４ｂ，４ｃ，・・・が存在していた単位空間１５ａ〜１５ｘにおいて携帯型ＳＩＰフォン４ａ，４ｂ，４ｃ，・・・の存在が検出されなくなると、携帯型ＳＩＰフォン４ａ，４ｂ，４ｃ，・・・の存在が検出されなくなった単位空間１５ａ〜１５ｘに隣接する単位空間１５ａ〜１５ｘに対応する空気調和装置２ａ〜２ｘの運転モードを参照して、携帯型ＳＩＰフォン４ａ，４ｂ，４ｃ，・・・の存在が検出されなくなった単位空間１５ａ〜１５ｘに対応する空気調和装置２ａ〜２ｘをアイドリングモードとするか、セービング冷房モードとするか、セービング暖房モードとするかを決定した。しかし、携帯型ＳＩＰフォン４ａ，４ｂ，４ｃ，・・・の存在が検出されなくなった単位空間１５ａ〜１５ｘ（以下、この単位空間を第２単位空間という）の中心と、携帯型ＳＩＰフォン４ａ，４ｂ，４ｃ，・・・の存在が検出されている単位空間１５ａ〜１５ｘ（以下、この単位空間を第１単位空間という）の中心との距離を出力し、その距離に基づいて第２単位空間に対応する空気調和装置２ａ〜２ｘをアイドリングモードとするか、セービング冷房モードとするか、セービング暖房モードとするかを決定しても良い。また、第２単位空間１５ａ〜１５ｘの中心と、携帯型ＳＩＰフォン４ａ，４ｂ，４ｃ，・・・との距離を出力し、その距離に基づいて第２単位空間に対応する空気調和装置２ａ〜２ｘをアイドリングモードとするか、セービング冷房モードとするか、セービング暖房モードとするかを決定しても良い。また、情報管理サーバ５上で空気調和装置２ａ〜２ｘの設置位置が平面座標化されており、その座標と空気調和装置２ａ〜２ｘのアドレスデータとが関連付けられている場合には、第２単位空間１５ａ〜１５ｘに対応する空気調和装置２ａ〜２ｘと、携帯型ＳＩＰフォン４ａ，４ｂ，４ｃ，・・・との距離を出力し、その距離に基づいて第２単位空間に対応する空気調和装置２ａ〜２ｘをアイドリングモードとするか、セービング冷房モードとするか、セービング暖房モードとするかを決定しても良い。さらに、この際、その距離に基づいて圧縮機の運転周波数を決定しても良い。例えば、第１単位空間から遠い第２単位空間に対応する空気調和装置２ａ〜２ｘほど、圧縮機の運転周波数を下げる制御をすることが考えられる。また、圧縮機の運転周波数を下げる割合を、人の標準移動速度や空気調和装置２ａ〜２ｘの起動速度や反応速度などに基づいて決定しても良い。このようにすれば、人が移動している状態であっても人に快適な空間を提供し続けることが可能となる。
【００８６】
（Ｏ）
先の実施の形態に係る空調制御システム１では、空気調和装置２ａ〜２ｘが第２通信線９２および第１通信線９１を介して制御装置７の空気調和装置用コネクタ８０に接続されていたが、空気調和装置２ａ〜２ｘがＬＡＮ規格に対応しておりＬＡＮケーブルコネクタを有している場合には、これらの空気調和装置２ａ〜２ｘ，３ａ〜３ｔは、イーサネットケーブルおよびルータ等を介して制御装置７のＬＡＮケーブル用コネクタ７８に接続されても良い。かかる場合に、アドレスデータとして、ＩＰアドレスやＭＡＣアドレス等が利用されても良い。
【００８７】
（Ｐ）
先の実施の形態に係る空調制御システム１では、補正動作は３０分間のみ有効としたが、その有効時間は３０分間に限らずに、１０分間、２０分間などでも構わない。
（Ｑ）
先の実施の形態に係る空調制御システム１では、補正データベース内の条件は図１２、図１３に示す条件に限らなくとも良い。また、外出時間、希望設定温度との温度差、希望設定湿度との温度差、補正動作などは、利用者が利用状況に応じて自由に設定できるようにしても構わない。
【００８８】
（Ｒ）
先の実施の形態に係る空調制御システム１では、１時間おきに換気制御が行われるとしたが、この換気制御の時間間隔は、１時間おきに限らずに、３０分おき、１５分おきなどでも構わない。
（Ｓ）
先の実施の形態に係る空調制御システム１では、履歴情報の取得は５分おきに行われるとしたが、この履歴情報取得の時間間隔は、５分おきに限らずに、１０分おき、１５分おきなどでも構わない。
【産業上の利用可能性】
【００８９】
本発明に係る空調制御システムは、利用者の行動履歴を記録することにより時々刻々と変化する利用者の状態を推定し、推定した利用者の状態と利用者の登録している利用者関連情報（温熱嗜好情報）とに基づいて利用者の快適性を高めるという特徴を有し、利用者の行動スケジュール、行動履歴、環境履歴に基づいて、複数の単位空間毎に空気調和装置の制御を行う空調制御システムおよび空調制御装置などとして有用である。
【図面の簡単な説明】
【００９０】
【図１】本発明に係る空調制御システムのブロック図である。
【図２】本発明に係る空調制御システムに採用される情報管理サーバのブロック図である。
【図３】本発明に係る空調制御システムに採用される情報管理サーバを構成するハードディスクに記憶される情報のイメージ図である。
【図４】本発明に係る空調制御システムに採用される情報管理サーバにおける制御信号およびデータの流れを表す図である。
【図５】本発明に係る空調制御システムに採用される制御装置のブロック図である。
【図６】本発明に係る空調制御システムに採用される制御装置における制御信号およびデータの流れを表す図である。
【図７】本発明に係る空調制御システムに採用される無線ＬＡＮ通信網を利用した位置情報取得システムを表す図である。
【図８】本発明に係る空調制御システムを採用した複数のビルおよびその内部の居室空間を表す図である。
【図９】本発明に係る空調制御システムに採用される空気調和装置の配置図である。
【図１０】本発明に係る空調制御システムに採用される情報管理サーバを構成するハードディスクに記憶される個人情報データベースのイメージ図である。
【図１１】本発明に係る空調制御システムに採用される情報管理サーバを構成するハードディスクに記憶される履歴情報データベースのイメージ図（一例）である。
【図１２】本発明に係る空調制御システムに採用される情報管理サーバを構成するハードディスクに記憶される補正データベース（冷房モード）のイメージ図である。
【図１３】本発明に係る空調制御システムに採用される情報管理サーバを構成するハードディスクに記憶される補正データベース（暖房モード）のイメージ図である。
【図１４】本発明に係る空調制御システムにおいて実行される温湿度制御の流れを表すフローチャートである。
【図１５】本発明に係る空調制御システムにおいて、複数の携帯型ＳＩＰフォンが１つの単位空間に存在する場合に実行される温湿度制御の流れを表すフローチャートである。
【図１６】本発明に係る空調制御システムにおいて実行される換気制御の流れを表すフローチャートである。
【図１７】本発明に係る空調制御システムにおいて実行される省エネルギー空調制御の流れを表すフローチャートである。
【図１８】本発明に係る空調制御システムにおいて実行される省エネルギー空調制御の流れを表すフローチャートである。
【図１９】本発明に係る空調制御システムにおいて実行される省エネルギー空調制御の流れを表すフローチャートである。
【図２０】本発明に係る空調制御システムにおいて実行される省エネルギー空調制御の流れを表すフローチャートである。
【図２１】本発明に係る空調制御システムの変形例においてのブロック図である。
【図２２】本発明に係る空調制御システムの変形例に採用されるＰＨＳ通信網を利用した位置情報取得システムを表す図である。
【図２３】本発明に係る空調制御システムの変形例に採用されるＧＰＳ衛星を利用した位置情報取得システムを表す図である。
【符号の説明】
【００９１】
１                  空調制御システム（空調制御システム）
２ａ〜２ｘ          空気調和装置（空気調和装置）
３                  ネットワーク３
４ａ，４ｂ，・・・   携帯型ＳＩＰフォン
５                  情報管理サーバ
７                  制御装置（空調制御部）
１２                  無線ＬＡＮ通信網（位置情報取得手段）
１５ａ〜１５ｘ        単位空間（単位空間）
５１ｂ                演算部（存在認識部、条件導出部）
５４                  ハードディスク（第１情報保持部、情報関連テーブル保持部）
ＬＳ１，ＬＳ２，・・・ 居室（居室空間）
【図１】
2007107782.tif 000003
【図２】
2007107782.tif 000004
【図３】
2007107782.tif 000005
【図４】
2007107782.tif 000006
【図５】
2007107782.tif 000007
【図６】
2007107782.tif 000008
【図７】
2007107782.tif 000009
【図８】
2007107782.tif 000010
【図９】
2007107782.tif 000011
【図１０】
2007107782.tif 000012
【図１１】
2007107782.tif 000013
【図１２】
2007107782.tif 000014
【図１３】
2007107782.tif 000015
【図１４】
2007107782.tif 000016
【図１５】
2007107782.tif 000017
【図１６】
2007107782.tif 000018
【図１７】
2007107782.tif 000019
【図１８】
2007107782.tif 000020
【図１９】
2007107782.tif 000021
【図２０】
2007107782.tif 000022
【図２１】
2007107782.tif 000023
【図２２】
2007107782.tif 000024
【図２３】
2007107782.tif 000025